(57)【要約】衝撃および／または振動が緩和される電子装置用光学レンズアッセンブリ（４０；１００）。本発明の光学レンズアッセンブリ（４０；１００）は、カメラが組み込まれる携帯電話、ＰＤＡなどの電子装置に特に有用である。衝撃および／または振動が緩和される光学レンズアッセンブリ（４０；１００）を設けることによって、このようなデバイスへのオートフォーカスおよび／またはズームレンズパッケージの実装の信頼性を向上させることができる。したがって、本発明は、より高性能なレンズパッケージを携帯電話、ＰＤＡなどの手持ち式電子装置に使用しやすくする。【選択図】図３
2010500623.tif 000002
【特許請求の範囲】
【請求項１】
電子装置用の光学レンズアッセンブリ（４０；１００）であって、
前記電子装置の筐体（１８）内の衝撃吸収マウント（４２）と、
前記衝撃吸収マウント（４２）によって支持される光学レンズ群（６０，６２；１０４，１０６）と、を備え、
前記衝撃吸収マウント（４２）は、衝撃エネルギーを吸収するために、前記光学レンズ群（６０，６２；１０４，１０６）と前記電子装置との間の相対移動を可能にする光学レンズアッセンブリ（４０；１００）。
【請求項２】
前記衝撃吸収マウント（４２）は、前記光学レンズ群（６０，６２；１０４，１０６）を含む光学レンズパッケージが軸方向に摺動可能に支持された前記電子装置に取り付け可能なスリーブ部材（５２）を含み、前記スリーブ部材（５２）は全体が密閉され、前記スリーブ部材（５２）内の前記スリーブ部材（５２）内の前記光学レンズパッケージの移動に応じて前記スリーブ内への流体の流入および前記スリーブからの流体の流出を可能にするための通路を少なくとも１つ含む請求項１に記載の電子装置用光学レンズアッセンブリ（４０；１００）。
【請求項３】
前記光学レンズパッケージは前記スリーブ部材（５２）を２つのチャンバ（７０；７２）に分割し、前記各チャンバは、前記スリーブ内の前記光学レンズパッケージの移動に応じて前記それぞれのチャンバ（７０；７２）への流体の流入および前記それぞれのチャンバ（７０；７２）からの流体の流出を可能にする通路をそれぞれ有し、それによって前記光学レンズパッケージの第１の軸方向への移動によって一方のチャンバから流体が押し出され、もう一方のチャンバに空気が引き込まれる請求項２に記載の電子装置用光学レンズアッセンブリ（４０；１００）。
【請求項４】
前記チャンバ（７０；７２）間の流体の実質的な流れを抑制するために、前記光学レンズパッケージが前記スリーブ部材（５２）と共にシール部を形成する請求項３に記載の電子装置用光学レンズアッセンブリ（４０；１００）。
【請求項５】
前記通路が流量調整器を含む請求項２に記載の電子装置用光学レンズアッセンブリ（４０；１００）。
【請求項６】
前記流量調整器がオリフィスである請求項５に記載の電子装置用光学レンズアッセンブリ（４０；１００）。
【請求項７】
前記流体が空気である請求項２に記載の電子装置用光学レンズアッセンブリ（４０；１００）。
【請求項８】
前記電子装置が携帯電話（１０）である請求項１に記載の電子装置用光学レンズアッセンブリ（４０；１００）。
【請求項９】
前記電子装置は、個人用オーディオデバイス、個人用ビデオデバイス、カメラ、および携帯情報端末の少なくとも１つである請求項１に記載の電子装置用光学レンズアッセンブリ（４０；１００）。
【請求項１０】
前記衝撃吸収マウント（４２）は、前記光学レンズ群（６０，６２；１０４，１０６）を含む光学レンズパッケージが軸方向に摺動可能に支持された前記電子装置に取り付け可能なスリーブ部材（５２）を含み、前記光学レンズパッケージが前記スリーブ部材（５２）と共にシール部を形成することによって、前記スリーブ部材（５２）を２つの独立したチャンバ（７０；７２）に分割し、前記スリーブ部材（５２）内の前記光学レンズパッケージの移動に応じて前記チャンバ（７０；７２）間での流体の流れを可能にする少なくとも１つの通路が前記独立したチャンバ（７０；７２）を連通する請求項１に記載の光学レンズアッセンブリ（４０；１００）。
【請求項１１】
前記通路が流量調整器を含む請求項１０に記載の電子装置用光学レンズアッセンブリ（４０；１００）。
【請求項１２】
前記流量調整器がオリフィスである請求項１１に記載の電子装置用光学レンズアッセンブリ（４０；１００）。
【請求項１３】
前記流体が空気である請求項１０に記載の電子装置用光学レンズアッセンブリ（４０；１００）。
【請求項１４】
前記流体が油である請求項１０に記載の電子装置用光学レンズアッセンブリ（４０；１００）。
【請求項１５】
前記油がシリコーン油である請求項１４に記載の電子装置用光学レンズアッセンブリ（４０；１００）。
【請求項１６】
前記衝撃吸収マウント（４２）は、前記光学レンズ群（６０，６２；１０４，１０６）を含む光学レンズパッケージの鏡筒であり、前記鏡筒は少なくとも１つのチャンバを含み、前記光学レンズパッケージの移動に応じて前記チャンバへの流体の流入および前記チャンバからの流体の流出を通路によって可能にすることによって前記光学レンズパッケージの移動を抑制する請求項１に記載の電子装置用光学レンズアッセンブリ（４０；１００）。
【請求項１７】
前記光学レンズ群（６０，６２；１０４，１０６）は前記鏡筒を２つのチャンバ（７０；７２）に分割し、前記スリーブ内の前記光学レンズパッケージの移動に応じて前記それぞれのチャンバ（７０；７２）への流体の流入および前記それぞれのチャンバ（７０；７２）からの流体の流出を可能にする通路を前記各チャンバが有することによって、前記光学レンズパッケージが第１の軸方向に移動すると、一方のチャンバから流体が押し出され、もう一方のチャンバに流体が引き込まれる請求項１６に記載の電子装置用光学レンズアッセンブリ（４０；１００）。
【請求項１８】
前記チャンバ（７０；７２）間の流体の実質的な流れを抑制するために前記光学レンズ群（６０，６２；１０４，１０６）が前記鏡筒と共に封止部を形成する請求項１７に記載の電子装置用光学レンズアッセンブリ（４０；１００）。
【請求項１９】
前記通路が流量調整器を含む請求項１６に記載の電子装置用光学レンズアッセンブリ（４０；１００）。
【請求項２０】
前記流量調整器がオリフィスである請求項１９に記載の電子装置用光学レンズアッセンブリ（４０；１００）。
【請求項２１】
前記流体が空気である請求項１６に記載の電子装置用光学レンズアッセンブリ（４０；１００）。
【請求項２２】
電子装置の光学レンズパッケージの衝撃を緩和する方法であって、
前記光学レンズ群（６０，６２；１０４，１０６）を前記電子装置に対して軸方向に移動可能に支持するステップと、
前記光学レンズ群（６０，６２；１０４，１０６）の衝撃を緩和するステップと、
を含む方法。
【請求項２３】
前記衝撃を緩和するステップは、流体によって前記光学レンズ群（６０，６２；１０４，１０６）の衝撃を緩和するステップを含む請求項２２に記載の方法。
【請求項２４】
前記衝撃を緩和するステップは、前記光学レンズ群（６０，６２；１０４，１０６）の移動によって前記光学レンズ群（６０，６２；１０４，１０６）の少なくとも一部を囲む流体が通路内を移動させられるように、前記光学レンズ群（６０，６２；１０４，１０６）を構成するステップを含む請求項２２に記載の方法。
【発明の詳細な説明】
【技術分野】
【０００１】
本発明は、全般的には電子装置に関し、特に、光学レンズ部品を含む電子装置と、電子装置の光学レンズ部品の衝撃を緩和する方法とに関する。
【背景技術】
【０００２】
従来の携帯電話は、音声通信機能の提供に加え、多くの非音声関連機能も提供する。例えば、携帯電話は、インターネットサーフィン、音楽およびビデオの再生、メッセージ（例えば、電子メールおよびテキストメッセージ）の送受信、写真の撮像および表示だけでなく、多くの他の機能に使用できる。
【０００３】
カメラ機能付きの携帯電話（例えば、カメラフォン）は、人気があり、普及してきている。電話機にカメラを組み合わせることによって、消費者が両方のデバイスを所持する必要がなくなる。ただし、カメラフォンは、一般に、独立型デジタルカメラと同レベルの性能を提供していない。独立型デジタルカメラは、基本的なものであっても、一般にオートフォーカスおよび光学ズーム機能を提供する。他方、大半のカメラフォンは、固定焦点レンズを使用し、光学ズーム機能を提供していない。したがって、カメラフォンは普及してきているものの、大半の消費者にとっては、独立型デジタルカメラの代わりにはなりえない。
【０００４】
電話機内の利用可能な空間が狭いために、レンズアッセンブリの性能を向上させることは難しい。特に、このような狭い空間において焦点調節およびズーム操作のためにレンズを移動させることは難しい。
【０００５】
カメラフォンの設計における別の考慮事項は、携帯電話の使用頻度が高いために、カメラフォンは、独立型カメラに比べ、落下および／または酷使される可能性が高いことである。レンズアッセンブリ、特に可動レンズ付きのオートフォーカスおよびズームレンズアッセンブリは、一般に衝撃入力に極めて敏感である。レンズの移動方向への衝撃入力は、一般にレンズアッセンブリにとって最も致命的であり、カメラを動作不能にしうる。
【発明の概要】
【０００６】
本発明は、衝撃および／または振動が緩和される電子装置用光学レンズアッセンブリを提供する。本発明の光学レンズアッセンブリは、カメラが組み込まれる携帯電話、ＰＤＡなどの電子装置に特に有用である。衝撃および／または振動が緩和される光学レンズアッセンブリを設けることによって、このようなデバイスへのオートフォーカスおよび／またはズームレンズパッケージの実装の信頼性を向上させることができる。したがって、本発明は、より高性能なレンズパッケージを携帯電話、ＰＤＡなどの手持ち式電子装置に使用しやすくする。
【０００７】
本発明の一態様によると、衝撃吸収マウントと光学レンズ群とを含む電子装置用光学レンズアッセンブリが提供される。衝撃吸収マウントは電子装置の筐体内に含まれ、光学レンズ群はこの衝撃吸収マウントによって支持される。衝撃吸収マウントは、衝撃エネルギーを吸収するために、光学レンズ群と電子装置との間の相対移動を可能にする。
【０００８】
別の態様によると、衝撃吸収マウントは、電子装置に取り付け可能なスリーブ部材を含み、このスリーブ部材の中に、光学レンズ群を含む光学レンズパッケージがスリーブ部材に対して軸方向に摺動可能に支持される。スリーブ部材は、ほぼ密閉され、スリーブ部材内の光学レンズパッケージの移動に応じてスリーブ内への流体の流入およびスリーブからの流体の流出を可能にする通路を少なくとも１つ含む。
【０００９】
別の態様によると、光学レンズパッケージはスリーブ部材を２つの独立したチャンバに分割する。スリーブ内の光学レンズパッケージの移動に応じてそれぞれのチャンバ内への流体の流入およびそれぞれのチャンバからの流体の流出を可能にする通路がチャンバごとに設けられる。光学レンズパッケージが第１の軸方向に移動すると、一方のチャンバから流体が押し出され、もう一方のチャンバに流体が引き込まれる。
【００１０】
別の態様によると、両チャンバ間での流体の実質的な流れを抑制するために、光学レンズパッケージはスリーブ部材と共にシール部を形成する。
【００１１】
別の態様によると、通路は流量調整器を含む。
【００１２】
別の態様によると、流量調整器はオリフィスである。
【００１３】
別の態様によると、流体は空気である。
【００１４】
別の態様によると、電子装置は携帯電話である。
【００１５】
別の態様によると、電子装置は、個人用オーディオデバイス、個人用ビデオデバイス、カメラ、および携帯情報端末の少なくとも１つである。
【００１６】
別の態様によると、衝撃吸収マウントは、電子装置に取り付け可能なスリーブ部材を含み、スリーブ部材の中に、光学レンズ群を含む光学レンズパッケージがスリーブ部材に対して軸方向に摺動可能に支持される。光学レンズパッケージはスリーブ部材と共にシール部を形成することによって、スリーブ部材を２つの独立したチャンバに分割する。スリーブ部材内の光学レンズパッケージの移動に応じて両チャンバ間での流体の流れを可能にするために、独立したチャンバ同士を少なくとも１つの通路によって連通させる。
【００１７】
別の態様によると、通路は流量調整器を含む。
【００１８】
別の態様によると、流量調整器はオリフィスである。
【００１９】
別の態様によると、流体は空気である。
【００２０】
別の態様によると、流体は油である。
【００２１】
別の態様によると、油はシリコーン油である。
【００２２】
別の態様によると、電子装置は携帯電話である。
【００２３】
別の態様によると、電子装置は、個人用オーディオデバイス、個人用ビデオデバイス、カメラ、および携帯情報端末の少なくとも１つである。
【００２４】
別の態様によると、衝撃吸収マウントは、光学レンズ群を含む光学レンズパッケージの鏡筒である。鏡筒は少なくとも１つのチャンバを含み、光学レンズパッケージの移動に応じてチャンバ内への流体の流入およびチャンバからの流体の流出を通路によって可能にすることによって、光学レンズパッケージの移動を抑制する。
【００２５】
別の態様によると、光学レンズ群は鏡筒を２つのチャンバに分割し、スリーブ内の光学レンズパッケージの移動に応じてそれぞれのチャンバ内への流体の流入およびそれぞれのチャンバからの流体の流出を可能にする通路がチャンバごとに設けられる。光学レンズパッケージが第１の軸方向に移動すると、一方のチャンバから流体が押し出され、もう一方のチャンバに流体が引き込まれる。
【００２６】
別の態様によると、両チャンバ間での流体の実質的な流れを抑制するために、光学レンズパッケージは鏡筒と共にシール部を形成する。
【００２７】
別の態様によると、通路は流量調整器を含む。
【００２８】
別の態様によると、流量調整器はオリフィスである。
【００２９】
別の態様によると、流体は空気である。
【００３０】
別の態様によると、電子装置は携帯電話である。
【００３１】
別の態様によると、電子装置は、個人用オーディオデバイス、個人用ビデオデバイス、カメラ、および携帯情報端末の少なくとも１つである。
【００３２】
本発明の別の態様は、電子装置の光学レンズ群の衝撃を緩和する方法に関する。本方法は、電子部品に対して軸方向に移動可能に光学レンズ群を支持するステップと、光学レンズ群の衝撃を緩和するステップとを含む。
【００３３】
別の態様によると、衝撃を緩和するステップは、流体によって光学レンズ群の衝撃を緩和するステップを含む。
【００３４】
別の態様によると、衝撃を緩和するステップは、光学レンズ群の移動によって光学レンズ群の少なくとも一部を囲む流体が通路内を移動させられるように光学レンズ群を構成するステップを含む。
【００３５】
上記および関連の目的を達成するために、本発明は、本願明細書において以下に詳細に説明し、特許請求の範囲において具体的に指摘する特徴を含む。以下の説明および添付図面は、本発明の特定の例示的実施形態を詳細に示すが、これらの実施形態は、本発明の原理を適切に採用しうるさまざまな方法のいくつかを示すにすぎない。
【００３６】
当業者には、本発明の他のシステム、方法、特徴、および利点が明らかであるか、あるいは以下の図面および詳細な説明を検討され次第、明らかになるであろう。このような付加的なシステム、方法、特徴、および利点は全て、この明細書に含まれ、本発明の範囲に含まれ、添付の特許請求の範囲によって保護されるものとする。
【００３７】
１つ以上の実施形態に関して本発明を図示および説明するが、他の当業者は、本明細書を読まれ理解され次第、対応物および変更を思い付かれるであろう。本発明は、このような対応物および変更を全て含み、特許請求の範囲によってのみ限定されるものとする。
【００３８】
さらに、さまざまな特徴をそれぞれの図面／実施形態に例示および説明しているが、当然のことながら、所与の図面または実施形態の特徴を本発明の他の１つ以上の図面または実施形態にも使用しうる。
【００３９】
強調すべき点は、用語「備える／備えた（ｃｏｍｐｒｉｓｅ／ｃｏｍｐｒｉｓｉｎｇ）」は、本明細書中で使用された場合、記載された特徴、整数、ステップ、または構成要素の存在を明示するものと解釈され、他の１つ以上の特徴、整数、ステップ、構成要素、またはこれらの群の存在または追加を排除するものではないことである。
【００４０】
本発明の多くの態様は、以下の図面を参照することによってよりよく理解することができる。これらの図面中の構成要素は、必ずしも一定の縮尺ではなく、むしろ本発明の原理を明確に図示することに重点が置かれている。同様に、１つの図面に描かれている要素および特徴は、付加的な図面に描かれた要素および特徴と組み合わせることもできる。さらに、これらの図面において、同様の参照符号は、いくつかの図にわたって対応する部分を示す。
【図面の簡単な説明】
【００４１】
【図１】携帯電話を例示する図である。
【図２】図１の携帯電話を別の方向から見た図である。
【図３】本発明による光学レンズアッセンブリの実施形態を例示する図２の線ａ−ａに沿う断面図である。
【図４】本発明による光学レンズアッセンブリの別の実施形態を例示する図２の線ａ−ａに沿う別の断面図である。
【図５】図４の光学レンズアッセンブリを例示する断面図である。
【図６】本発明による光学レンズアッセンブリの別の実施形態を例示する断面図である。
【発明を実施するための形態】
【００４２】
次に、図面を参照しながら本発明を説明する。これらの図面においては全体にわたって同様の要素を示すために同様の参照符号が使用されている。
【００４３】
用語「電子装置」は、携帯型無線通信装置を含む。用語「携帯型無線通信装置」は、以降「モバイル無線端末」、「携帯電話」、「モバイルデバイス」、または「モバイル端末」などと称されるが、モバイル電話機、ポケベル、コミュニケータ、すなわち、電子手帳、携帯情報端末（ＰＤＡ：ｐｅｒｓｏｎａｌ  ｄｉｇｉｔａｌ  ａｓｓｉｓｔａｎｔ）、スマートフォン、携帯型通信装置などのあらゆる装置を含む。用語「電子装置」は、携帯型デジタル音楽および／またはビデオデバイス、例えばｉＰｏｄデバイス、ｍｐ３プレーヤなどをさらに含みうる。
【００４４】
本出願においては、本発明を主に携帯電話の構成で説明する。ただし、本発明は、携帯電話に限定されるものではなく、如何なる種類の電子装置にも適用できることを理解されるであろう。
【００４５】
次に図１および図２を参照すると、携帯電話１０が「レンガ」または「ブロック」デザイン形式の筐体１８（ケースとも呼称）を有するものとして図示されているが、当然のことながら、他の形式の筐体、例えばクラムシェル型またはスライド式筐体など、も本発明の範囲から逸脱することなく使用しうる。携帯電話１０は、スピーカ２０、ディスプレイ２２、ナビゲーションスイッチおよび選択／ファンクションキー群またはスイッチ群２４、キーパッド２６、マイクロフォン２８、およびカメラの外部カメラレンズ３０（図２参照）をさらに含む。これらは、一般的な携帯電話の例示的かつ代表的な部品であるが、当然のことながら、形態および／または機能が同様または異なる他の部品を携帯電話１０に含めうる。本発明が関連する携帯電話は、本願明細書に図示および記載のものより、機能、キーなどの数が多いかまたは少ない種類でもよい。
【００４６】
当然のことであるが、携帯電話１０は、従来の携帯電話として機能することもできる。携帯電話１０は、将来開発されうる付加機能および能力を備えることもできる。従来的には、ディスプレイ２２は、操作状態、時刻、電話番号、連絡先、さまざまなナビゲーションメニューなど、ユーザによる携帯電話の各種特徴の使用を可能および／または容易にする情報をユーザに表示する。ディスプレイは、映画、画像を見るために、またはゲームをするために使用できるほか、例えばカメラのビューファインダとして使用することもできる。ディスプレイ２２の一部または全体をタッチスクリーン式デバイスにすることもできる。ナビゲーションおよびファンクションキー群２４とキーパッド２６とは、さまざまなユーザ操作を可能にするという点で従来型にすることもできる。例えば、ディスプレイ２２に表示されたメニュー内を移動してさまざまな電話機能、プロファイル、設定項目などを従来のように選択するために、ファンクションキー群およびナビゲーションデバイス２４の１つ以上を使用することもできる。キーパッド２６は、一般に、発呼または応答用の「送話（ｃａｌｌ  ｓｅｎｄ）」キー、通話の終了または電話を切るための「終話（ｃａｌｌ  ｅｎｄ）」キー、および電話番号をダイヤルするためのダイヤルキーなどの専用ファンクションキーを１つ以上含む。ナビゲーションおよびファンクションキー群２４および／またはキーパッド２６に含まれる他のキーとして、電源オン／オフキー、ウェブブラウザ立ち上げキー、カメラキー、ボイスメールキー、カレンダキーなどを含むこともできる。
【００４７】
図３は、図２の線ａ−ａに沿った電話機１０の断面図であり、本発明の一実施形態による例示的光学レンズアッセンブリ４０を示している。光学レンズアッセンブリ４０は、衝撃吸収マウント４２と、衝撃吸収マウント４２によって支持された光学レンズパッケージ４４とを含む。衝撃吸収マウント４２は、電話機の落下時などに衝撃エネルギーを吸収するために、光学レンズパッケージ４４と電話機１０との間の相対移動を可能にする。
【００４８】
衝撃吸収マウント４２は、スリーブ部材５２を含む。図示の実施形態において、スリーブ部材５２は略円筒形のスリーブ部材である。スリーブ部材５２は、円筒形の側壁５４とその第１の端部にあるエンドキャップ５６とを有する。円筒形の側壁の反対側の端部は、外部カメラレンズ３０の近傍に終端する。スリーブ部材５２の内部に、光学レンズパッケージ４４が支持される。
【００４９】
光学レンズパッケージ４４は、焦点レンズ群６０とズームレンズ群６２とを含む。光学レンズパッケージ４４内のレンズの構成のみが本発明に適切なレンズ構成ではなく、他のレンズ構成も使用できることは分かるであろう。レンズ群は単一のレンズまたは複数のレンズを有することができる。光学レンズパッケージ４４は、焦点調節およびズーム操作のためにレンズ群６０および６２内の１つ以上のレンズを相互に近接および離隔させるためのモータ６４ａおよび６４ｂをさらに含む。焦点レンズ群６０の背後にはＣＣＤイメージセンサ６６などのイメージセンサが配設され、被写体光を捕捉する。被写体光は、外部カメラレンズ３０を通過し、ＣＣＤイメージセンサ６６の受光面で合焦される。ＣＣＤイメージセンサは、この被写体光をアナログ画像信号に変換する。このアナログ画像信号は可撓性接続６９を介して画像信号処理部６８に出力される。
【００５０】
光学レンズパッケージ４４は、スリーブ部材５２の中にその長手方向軸に沿って軸方向に移動可能に支持される。この長手方向軸は、図示の実施形態においては、レンズ群６０および６２のレンズの移動方向に平行である。ただし、他の構成においては、レンズの移動方向が光学レンズパッケージの長手方向軸に平行でなくてもよいことは分かるであろう。このような構成においては、光学レンズパッケージ４４は、レンズの移動方向に平行な方向に移動可能にスリーブ部材５２内に支持されることが好ましい。
【００５１】
スリーブ部材５２は、光学レンズパッケージ４４によって２つの独立したチャンバ７０および７２に分割される。チャンバ７０および７２は、何れか適した流体、例えば空気など、で満たすことができる。特定の油（例えば、シリコーン油）など、他の流体を使用することもできる。光学レンズパッケージ４４の変位に伴い、流体を各チャンバ７０および７２内に流入および各チャンバ７０および７２から流出させるための経路を形成する通路７４ａおよび７４ｂが円筒形の側壁５４に設けられる。例えば、光学レンズパッケージ４４が図３の左側に変位すると、チャンバ７０の容積が大きくなり、チャンバ７２の容積が小さくなる。この結果、チャンバ７０内の空気圧が低下するので、空気が通路７４ａを通ってチャンバ７０に引き込まれる。この変位はまた、チャンバ７２内の空気圧を上昇させるので、空気が通路７４ｂから押し出される。通路７４ａおよび７４ｂのサイズがチャンバ７０および７２内への空気の流入およびチャンバ７０および７２からの空気の流出を制限するようになっているため、光学レンズパッケージ４４の移動が抑制されることが分かるであろう。当然のことであるが、本願明細書に記載の各実施形態と同様に、適切なサイズの通路の選択などによって特定の衝撃緩和量に制御することもできる。携帯電話１０の落下時には光学レンズパッケージ４４の損傷を回避するために十分な衝撃緩和が行われ、携帯電話１０の平常使用時は他の方法で光学レンズパッケージ４４が所定位置にほぼ固定されていることが好ましい。
【００５２】
したがって、図示の実施形態においては、光学レンズパッケージ４４が移動してゆく側のチャンバ内の空気圧の上昇によって、光学レンズパッケージ４４の移動が抑制される。反対側のチャンバ内の圧力低下（例えば、吸引）によっても光学レンズパッケージ４４の移動を抑制できることは分かるであろう。
【００５３】
図３に示す中立位置に光学レンズパッケージ４４を戻すためにバネ（図示せず）などの弾性部材を設けることができることは分かるであろう。例えば、光学レンズパッケージ４４とエンドキャップ５６との間に弾性部材を介在させることができる。
【００５４】
図４および図５には、本発明の一実施形態による別の例示的光学レンズアッセンブリ４０が図示されている。図４の光学レンズアッセンブリ４０は大半の点において図３の光学レンズアッセンブリと同様であるが、密閉されている点が異なる。したがって、通路７４ａおよび７４ｂがない。流体は連通路を通じてチャンバ７０および７２の間を流れる。この連通路は、図示の実施形態においては、図５に示すように、スリーブ部材５２内の流路８０である。
【００５５】
光学レンズパッケージ４４の移動を抑制するようにチャンバ７０および７２間の流体の流れを制限するために、流路８０のサイズが決められる。したがって、流路は、制限用オリフィスとしてサイズおよび／または形状を決めることができる。図４の左側に光学レンズパッケージ４４が変位すると、チャンバ７２の容積が小さくなり、チャンバ７０の容積が大きくなるので、流体が流路８０を通ってチャンバ７０内に押しやられる。
【００５６】
この実施形態は、自給式であり、スリーブ部材５２の外側の流体源（例えば、大気）への排出口がないので、シリコーン油などの液体の使用に特に適している。したがって、図示はされていないが、チャンバ７０および７２を適切な緩衝液で満たすことができる。チャンバ７０および７２間に他の連通路を設けることができることは分かるであろう。例えば、チャンバ７０および７２を連通させる１つ以上の通路を光学レンズパッケージ４４に設けることができる。別の例として、スリーブ部材５２と光学レンズパッケージ４４との界面での漏れを連通路として機能させることができる。
【００５７】
チャンバ７０および７２を何れか適切なサイズにできることは分かるであろう。さらに、チャンバ７０および７２の全体または一部を衝撃入力を吸収するためのゴムまたは発泡体などの弾性材料で充填することができる。
【００５８】
用途によっては空気のみで十分な緩衝効果をもたらすことができるが、上記の各例示的実施形態は、高粘度のグリースまたは油をスリーブ部材５２と光学レンズパッケージ４４との間の界面に塗布することによって、追加的な衝撃緩和を達成することができる。このような高粘度のグリースまたは油は、界面を潤滑すると同時に、光学レンズパッケージ４４の移動を阻む抗力を生じさせやすい特定の表面効果（例えば、粘着性）を有することができる。したがって、用途によっては、このようなグリースまたは油のみを使用して、光学レンズパッケージ４４の動きを適切に抑制することができる。
【００５９】
前述の衝撃緩和の原理は、他の種類のレンズ構成に適用できる。例えば、図６には、携帯電話１０などの電子装置の筐体内に支持または搭載できる光学レンズアッセンブリ１００が図示されている。光学レンズアッセンブリ１００は、携帯電話１０の本体に対して固定された鏡筒１０２と、固定レンズ群１０４と、可動レンズ群１０６と、圧電素子１０８とを含む。イメージセンサパッケージ１１０は、携帯電話１０の本体に対して固定されたイメージセンサ１１６と、ホルダ１１４と、カバー１１２とを含む。電源１１８がイメージセンサパッケージ１１０と圧電素子１０８とに電力を供給する。
【００６０】
鏡筒１０２は中空の円筒形状であり、内部に貫通孔１２０を有する。鏡筒１０２の内壁の一部は、雌ねじ１２２を画成する。鏡筒１０２の内壁の他の部分は平滑である。
【００６１】
固定レンズ群１０４は、固定接眼筒１２４と第１のレンズ群１２６とを含む。固定接眼筒１２４は、中空の円筒形状である。固定接眼筒１２４は、その外壁に雄ねじ１２８を有する。第１のレンズ群１２６は、固定接眼筒１２４内に取り付けられた１つ以上のレンズ（個々の符号はなし）を含む。固定レンズ群１０４は、鏡筒１０２内に組み付けられる。雄ねじ１２８は、鏡筒１０２の雌ねじ１２２に螺合する。
【００６２】
可動レンズ群１０６は、可動接眼筒１３０と第２のレンズ群１３２とを含む。可動接眼筒１３０は、中空の円筒形状である。第２のレンズ群１３２は、可動接眼筒１３０内に取り付けられた１つ以上のレンズ（個々の符号はなし）を含む。可動レンズ群１０６は、鏡筒１０２内に摺動可能に組み付けられ、鏡筒１０２の内壁の平滑部分に係合する。可動レンズ群１０６は、図示のように、一部が鏡筒１０２から突出する。当然のことであるが、他の実施形態においては、可動レンズ群１０６を鏡筒１０２内に完全に収容することができる。
【００６３】
圧電素子１０８は、携帯電話１０の本体に対して固定されており、支持体１６０と圧電部分１６２とを含む。支持体１６０は、中空の円筒形状である。圧電部分１６２は、支持体１６０の内面に配置される。さらに、または代わりに、圧電部分１６２を支持体１６０の外面に配置することもできる。圧電部分１６２は、例えば、酸化亜鉛、ニオブ酸リチウム、およびタンタル酸リチウムの何れかで作製することも、あるいは他の何れか適した圧電材料で作製することもできる。可動レンズ群１０６の一端は、圧電素子１０８の一端に固定される。支持体１６０を弾性材料で作製することによって、圧電部分１６２の長さの変化を助け、圧電部分１６２に対する機械的支持をもたらすことができる。したがって、可動レンズ群１０６は、圧電素子１０８の動きに応じて鏡筒１０２内でほぼ自由に移動できる。
【００６４】
カバー１１２は、ガラスまたは別の透明な固体材料である。ホルダ１１４内への埃の落下、または他の方法によるホルダ１１４内への埃の到達を防ぐために、カバー１１２をホルダ１１４に取り付ける。
【００６５】
ホルダ１１４は、中空の円筒形状である。ホルダ１１４は、底板１８２と側壁１８４とを含む。底板１８２と側壁１８４とは、共に空洞１８６を形成する。ホルダ１１４には、底板１８２の反対側にサイドステップ１８８が画成される。カバー１１２は、ホルダ１１４のサイドステップ１８８上に据えられる。
【００６６】
イメージセンサ１１６は、ホルダ１１４の底板１８２に取り付けられる。イメージセンサ１１６をプリント回路基板（ＰＣＢ：ｐｒｉｎｔｅｄ  ｃｉｒｃｕｉｔ  ｂｏａｒｄ）（図示せず）に電気的に接続することによって、イメージセンサ１１６が収集した画像データのデジタル処理を可能にする。
【００６７】
電源１１８は、直流を圧電素子１０８ならびにイメージセンサ１１６およびＰＣＢに供給する。陽極および陰極は、圧電部分１６２の２つの異なる位置にそれぞれ接続される。圧電部分１６２は、電源１１８の電圧／電流に応じて可変に変形する。
【００６８】
光学レンズアッセンブリ１００の組み付け時、第１のレンズ群１２４および第２のレンズ群１３２を固定接眼筒１２４および可動接眼筒１３０にそれぞれ取り付けることによって、固定レンズ群１０４および可動レンズ群１０６を形成する。次に、固定レンズ群１０４を鏡筒１０２に挿入する。固定接眼筒１２４の雄ねじ１２８を鏡筒１０２の雌ねじ１２２に螺合させる。最後に、固定レンズ群１０４を鏡筒１０２内に糊／接着剤によって、融着／ろう付け／はんだ付けによって、および／または機械的手段によって、固定する。鏡筒１０２に挿入された可動レンズ群１０６は、鏡筒１０２に対して鏡筒１０２の軸に沿って摺動できる。カバー１１２と、ホルダ１１４と、イメージセンサ１１６とは、事前にイメージセンサパッケージ１１０に組み立てる。その間に、電源１１８を圧電素子１０８の圧電部分１６２に接続する。最後に、圧電素子１０８を鏡筒１０２とホルダ１１４との間に組み付ける。圧電素子１０８の一端を可動レンズ群１０６に係合させる。すなわち、圧電部分６２の対応する一端を可動レンズ群１０６に固定し、圧電素子１０８の反対側の端をホルダ１１４およびカバー１１２に恒久的に取り付ける。
【００６９】
本発明の一態様によると、光学レンズアッセンブリ１００は、可動レンズ群１０６の移動に応じて、空気などの流体を鏡筒１０２に流入および鏡筒１０２から流出させるための通路１９０をさらに含む。当然のことであるが、鏡筒１０２内の固定レンズ群１０４と可動レンズ群１０６との間のチャンバ１９２は、通路１９０以外はほぼ密閉されている。通路は、上記のように、そこを通る流体の流れを制限することによって可動レンズ群１０６の移動を抑制するように、サイズが決められる。可動レンズ群１０６の移動に応じてチャンバ１９２から流体を流出させるための１つ以上の流路（図示せず）を、通路１９０の代わりに、または通路１９０に加えて、鏡筒１０２および／または可動接眼筒１３０に設けることができる。例えば、図４および図５の実施形態の流路８０など、チャンバ１９２から鏡筒１０２の下端まで延在する流路を鏡筒１０２の内面に設けることができる。可動レンズ群１０６が鏡筒１０２内に完全に収容される実施形態においては、可動レンズ群１０６によって分離された複数のチャンバ間を１つ以上の流路によって連通させることによって、例えば図４および図５に図示の方法で、これらのチャンバ間に流体を流すことができる。
【００７０】
ここで、本発明は、衝撃入力を吸収しやすい衝撃吸収マウントを含む光学レンズアッセンブリを設けることによって光学レンズパッケージの移動を抑制することが分かるであろう。したがって、本発明は、落下およびまたは酷使によって激しい衝撃入力が加わる可能性が高い、カメラが一体化された携帯電話、ＰＤＡなどの電子装置に特に有用である。本発明は、さまざまなレンズパッケージ、および／またはアッセンブリ、および／または他のカメラ部品に適用可能である。例示されている実施形態は、モータおよび圧電素子によって作動される光学レンズアッセンブリを記述しているが、当然のことながら、本発明は、他の機構によって、例えばステッピングモータ、ソレノイドなどによって、作動されるレンズアッセンブリに使用できる。さらに、本発明の原理を用いて他の緩衝構成を実現できることも分かるであろう。例えば、鏡筒内の複数のレンズ群を本発明による緩衝用に構成することができる。
【００７１】
さらに、レンズ群の緩衝度合は、１つ以上のチャンバへの流体の流入または流出割合にある程度依存することが分かるであろう。したがって、この割合を制御することによって、所望の衝撃緩和が達成されることは分かるであろう。この点に関して、流体が流出入する１つ以上のチャンバは、そのチャンバへの流体の流入および流出を許容する通路以外は、通常、密閉される。したがって、通路内の流速を制御すると、チャンバへの流入およびチャンバからの流出割合が制御される。ただし、このようなチャンバへの流体のある程度の漏入および漏出は、本発明の範囲から逸脱することなく存在しうる。
【００７２】
本発明の特定の実施形態を本願明細書において開示してきた。当業者であれば、本発明は他の環境において他の用途を有しうることを容易に認識するであろう。実際、多くの実施形態および実装が可能である。添付の特許請求の範囲は、本発明の範囲を上記の特定の実施形態に限定するものでは決してない。さらに、「する手段（ｍｅａｎｓ  ｆｏｒ）」という表現は何れも、要素および請求項をミーンズ・プラス・ファンクションとして読ませるものであり、他方、「する手段（ｍｅａｎｓ  ｆｏｒ）」という表現を明示的に使用していない要素は、たとえその請求項が文言「手段（ｍｅａｎｓ）」を他の方法で含んでいたとしても、ミーンズ・プラス・ファンクション要素として読まれないものとする。
【００７３】
本発明を特定の好適な実施形態に関して図示および説明してきたが、他の当業者は、この明細書および添付の図面を読んで理解すれば、対応の変形例および修正を思い付くであろうことは明らかである。特に、上記要素（構成要素、アッセンブリ、デバイス、構成、その他）によって実行されるさまざまな機能に関して、このような要素を説明するために用いられた用語（「手段（ｍｅａｎｓ）」への言及を含む）は、特に断りのない限り、記載された要素の明示された機能を実行する何れの要素にも、たとえ本願明細書に例示された本発明の１つ以上の例示的実施形態においてその機能を実行する開示構造に構造的には等価でなくても、該当する（すなわち、機能的に等価である）ものとする。さらに、本発明の特定の１つの特徴は、例示されたいくつかの実施形態の１つまたは複数についてのみ上で説明されている場合もあるが、このような特徴は、何れか所与の、または特定の、用途に都合のよいように、または所望されるように、他の実施形態の他の１つ以上の特徴と組み合わせることもできる。
【図１】
2010500623.tif 000003
【図２】
2010500623.tif 000004
【図３】
2010500623.tif 000005
【図４】
2010500623.tif 000006
【図５】
2010500623.tif 000007
【図６】
2010500623.tif 000008
【手続補正書】
【提出日】平成20年6月17日(2008.6.17)
【手続補正１】
【補正対象書類名】特許請求の範囲
【補正対象項目名】全文
【補正方法】変更
【補正の内容】
【特許請求の範囲】
【請求項１】
電子装置用の光学レンズアッセンブリ（４０；１００）であって、
前記電子装置の筐体（１８）内の衝撃吸収マウント（４２）と、
前記衝撃吸収マウント（４２）によって支持される光学レンズ群（６０，６２；１０４，１０６）と、を備え、
前記衝撃吸収マウント（４２）は、衝撃エネルギーを吸収するために、前記光学レンズ群（６０，６２；１０４，１０６）と前記電子装置との間の相対移動を可能にし、
前記衝撃吸収マウント（４２）は、光学レンズパッケージが軸方向に摺動可能に支持された前記電子装置に取り付けられたスリーブ部材（５２）を含み、前記光学レンズパッケージは前記光学レンズ群（６０，６２；１０４，１０６）を支持し、前記スリーブ部材（５２）は全体が密閉され、前記スリーブ部材（５２）内の前記スリーブ部材（５２）内の前記光学レンズパッケージの移動に応じて前記スリーブ内への流体の流入および前記スリーブからの流体の流出を可能にするための通路を少なくとも１つ含む電子装置用光学レンズアッセンブリ（４０；１００）。
【請求項２】
前記光学レンズパッケージは前記スリーブ部材（５２）を２つのチャンバ（７０；７２）に分割し、前記各チャンバは、前記スリーブ内の前記光学レンズパッケージの移動に応じて前記それぞれのチャンバ（７０；７２）への流体の流入および前記それぞれのチャンバ（７０；７２）からの流体の流出を可能にする通路をそれぞれ有し、それによって前記光学レンズパッケージの第１の軸方向への移動によって一方のチャンバから流体が押し出され、もう一方のチャンバに空気が引き込まれる請求項１に記載の電子装置用光学レンズアッセンブリ（４０；１００）。
【請求項３】
前記チャンバ（７０；７２）間の流体の実質的な流れを抑制するために、前記光学レンズパッケージが前記スリーブ部材（５２）と共にシール部を形成する請求項２に記載の電子装置用光学レンズアッセンブリ（４０；１００）。
【請求項４】
前記通路が流量調整器を含む請求項１に記載の電子装置用光学レンズアッセンブリ（４０；１００）。
【請求項５】
前記流量調整器がオリフィスである請求項４に記載の電子装置用光学レンズアッセンブリ（４０；１００）。
【請求項６】
前記流体が空気である請求項１に記載の電子装置用光学レンズアッセンブリ（４０；１００）。
【請求項７】
前記電子装置が携帯電話（１０）である請求項１に記載の電子装置用光学レンズアッセンブリ（４０；１００）。
【請求項８】
前記電子装置は、個人用オーディオデバイス、個人用ビデオデバイス、カメラ、および携帯情報端末の少なくとも１つである請求項１に記載の電子装置用光学レンズアッセンブリ（４０；１００）。
【請求項９】
電子装置用の光学レンズアッセンブリ（４０；１００）であって、
前記電子装置の筐体（１８）内の衝撃吸収マウント（４２）と、
前記衝撃吸収マウント（４２）によって支持される光学レンズ群（６０，６２；１０４，１０６）と、を備え、
前記衝撃吸収マウント（４２）は、衝撃エネルギーを吸収するために、前記光学レンズ群（６０，６２；１０４，１０６）と前記電子装置との間の相対移動を可能にし、
前記衝撃吸収マウント（４２）は、前記光学レンズ群（６０，６２；１０４，１０６）を含む光学レンズパッケージが軸方向に摺動可能に支持された前記電子装置に取り付け可能なスリーブ部材（５２）を含み、前記光学レンズパッケージが前記スリーブ部材（５２）と共にシール部を形成することによって、前記スリーブ部材（５２）を２つの独立したチャンバ（７０；７２）に分割し、前記スリーブ部材（５２）内の前記光学レンズパッケージの移動に応じて前記チャンバ（７０；７２）間での流体の流れを可能にする少なくとも１つの通路が前記独立したチャンバ（７０；７２）を連通する電子装置用光学レンズアッセンブリ（４０；１００）。
【請求項１０】
前記通路が流量調整器を含む請求項９に記載の電子装置用光学レンズアッセンブリ（４０；１００）。
【請求項１１】
前記流量調整器がオリフィスである請求項１０に記載の電子装置用光学レンズアッセンブリ（４０；１００）。
【請求項１２】
前記流体が空気である請求項９に記載の電子装置用光学レンズアッセンブリ（４０；１００）。
【請求項１３】
前記流体が油である請求項９に記載の電子装置用光学レンズアッセンブリ（４０；１００）。
【請求項１４】
前記油がシリコーン油である請求項１３に記載の電子装置用光学レンズアッセンブリ（４０；１００）。
【請求項１５】
前記衝撃吸収マウント（４２）は、前記光学レンズ群（６０，６２；１０４，１０６）を含む光学レンズパッケージの鏡筒であり、前記鏡筒は少なくとも１つのチャンバを含み、前記光学レンズパッケージの移動に応じて前記チャンバへの流体の流入および前記チャンバからの流体の流出を通路によって可能にすることによって前記光学レンズパッケージの移動を抑制する請求項１に記載の電子装置用光学レンズアッセンブリ（４０；１００）。
【請求項１６】
前記光学レンズ群（６０，６２；１０４，１０６）は前記鏡筒を２つのチャンバ（７０；７２）に分割し、前記スリーブ内の前記光学レンズパッケージの移動に応じて前記それぞれのチャンバ（７０；７２）への流体の流入および前記それぞれのチャンバ（７０；７２）からの流体の流出を可能にする通路を前記各チャンバが有することによって、前記光学レンズパッケージが第１の軸方向に移動すると、一方のチャンバから流体が押し出され、もう一方のチャンバに流体が引き込まれる請求項１５に記載の電子装置用光学レンズアッセンブリ（４０；１００）。
【請求項１７】
前記チャンバ（７０；７２）間の流体の実質的な流れを抑制するために前記光学レンズ群（６０，６２；１０４，１０６）が前記鏡筒と共に封止部を形成する請求項１６に記載の電子装置用光学レンズアッセンブリ（４０；１００）。
【請求項１８】
前記通路が流量調整器を含む請求項１５に記載の電子装置用光学レンズアッセンブリ（４０；１００）。
【請求項１９】
前記流量調整器がオリフィスである請求項１８に記載の電子装置用光学レンズアッセンブリ（４０；１００）。
【請求項２０】
前記流体が空気である請求項１５に記載の電子装置用光学レンズアッセンブリ（４０；１００）。
【請求項２１】
電子装置の光学レンズパッケージの衝撃を緩和する方法であって、
前記電子装置に取り付け可能なスリーブ内に前記光学レンズ群（６０，６２；１０４，１０６）を前記電子装置に対して軸方向に移動可能に支持するステップと、
衝撃エネルギーを吸収するために、前記光学レンズ群（６０，６２；１０４，１０６）と前記電子装置との間の相対移動を可能にすることにより前記光学レンズ群（６０，６２；１０４，１０６）の衝撃を緩和するステップと、を含む方法。
【請求項２２】
前記衝撃を緩和するステップは、流体によって前記光学レンズ群（６０，６２；１０４，１０６）の衝撃を緩和するステップを含む請求項２１に記載の方法。
【請求項２３】
前記衝撃を緩和するステップは、前記光学レンズ群（６０，６２；１０４，１０６）の移動によって前記光学レンズ群（６０，６２；１０４，１０６）の少なくとも一部を囲む流体が通路内を移動させられるように、前記光学レンズ群（６０，６２；１０４，１０６）を構成するステップを含む請求項２１に記載の方法。
【手続補正書】
【提出日】平成21年3月10日(2009.3.10)
【手続補正１】
【補正対象書類名】特許請求の範囲
【補正対象項目名】全文
【補正方法】変更
【補正の内容】
【特許請求の範囲】
【請求項１】
電子装置用の光学レンズアッセンブリ（４０；１００）であって、
前記電子装置の筐体（１８）内の衝撃吸収マウント（４２）と、
前記衝撃吸収マウント（４２）によって支持される光学レンズ群（６０，６２；１０４，１０６）と、を備え、
前記衝撃吸収マウント（４２）は、衝撃エネルギーを吸収するために、前記光学レンズ群（６０，６２；１０４，１０６）と前記電子装置との間の相対移動を可能にし、
前記衝撃吸収マウント（４２）は、光学レンズパッケージが軸方向に摺動可能に支持された前記電子装置に取り付けられたスリーブ部材（５２）を含み、前記光学レンズパッケージは前記光学レンズ群（６０，６２；１０４，１０６）を支持し、前記スリーブ部材（５２）は全体が密閉され、前記スリーブ部材（５２）内の前記スリーブ部材（５２）内の前記光学レンズパッケージの移動に応じて前記スリーブ内への流体の流入および前記スリーブからの流体の流出を可能にするための通路を少なくとも１つ含む電子装置用光学レンズアッセンブリ（４０；１００）。
【請求項２】
前記光学レンズパッケージは前記スリーブ部材（５２）を２つのチャンバ（７０；７２）に分割し、前記各チャンバは、前記スリーブ内の前記光学レンズパッケージの移動に応じて前記それぞれのチャンバ（７０；７２）への流体の流入および前記それぞれのチャンバ（７０；７２）からの流体の流出を可能にする通路をそれぞれ有し、それによって前記光学レンズパッケージの第１の軸方向への移動によって一方のチャンバから流体が押し出され、もう一方のチャンバに空気が引き込まれる請求項１に記載の電子装置用光学レンズアッセンブリ（４０；１００）。
【請求項３】
前記チャンバ（７０；７２）間の流体の実質的な流れを抑制するために、前記光学レンズパッケージが前記スリーブ部材（５２）と共にシール部を形成する請求項２に記載の電子装置用光学レンズアッセンブリ（４０；１００）。
【請求項４】
前記通路が流量調整器を含む請求項１に記載の電子装置用光学レンズアッセンブリ（４０；１００）。
【請求項５】
前記電子装置が携帯電話（１０）である請求項１に記載の電子装置用光学レンズアッセンブリ（４０；１００）。
【請求項６】
前記電子装置は、個人用オーディオデバイス、個人用ビデオデバイス、カメラ、および携帯情報端末の少なくとも１つである請求項１に記載の電子装置用光学レンズアッセンブリ（４０；１００）。
【請求項７】
電子装置用の光学レンズアッセンブリ（４０；１００）であって、
前記電子装置の筐体（１８）内の衝撃吸収マウント（４２）と、
前記衝撃吸収マウント（４２）によって支持される光学レンズ群（６０，６２；１０４，１０６）と、を備え、
前記衝撃吸収マウント（４２）は、衝撃エネルギーを吸収するために、前記光学レンズ群（６０，６２；１０４，１０６）と前記電子装置との間の相対移動を可能にし、
前記衝撃吸収マウント（４２）は、前記光学レンズ群（６０，６２；１０４，１０６）を含む光学レンズパッケージが軸方向に摺動可能に支持された前記電子装置に取り付け可能なスリーブ部材（５２）を含み、前記光学レンズパッケージが前記スリーブ部材（５２）と共にシール部を形成することによって、前記スリーブ部材（５２）を２つの独立したチャンバ（７０；７２）に分割し、前記スリーブ部材（５２）内の前記光学レンズパッケージの移動に応じて前記チャンバ（７０；７２）間での流体の流れを可能にする少なくとも１つの通路が前記独立したチャンバ（７０；７２）を連通する電子装置用光学レンズアッセンブリ（４０；１００）。
【請求項８】
前記衝撃吸収マウント（４２）は、前記光学レンズ群（６０，６２；１０４，１０６）を含む光学レンズパッケージの鏡筒であり、前記鏡筒は少なくとも１つのチャンバを含み、前記光学レンズパッケージの移動に応じて前記チャンバへの流体の流入および前記チャンバからの流体の流出を通路によって可能にすることによって前記光学レンズパッケージの移動を抑制する請求項７に記載の電子装置用光学レンズアッセンブリ（４０；１００）。
【請求項９】
前記光学レンズ群（６０，６２；１０４，１０６）は前記鏡筒を２つのチャンバ（７０；７２）に分割し、前記スリーブ内の前記光学レンズパッケージの移動に応じて前記それぞれのチャンバ（７０；７２）への流体の流入および前記それぞれのチャンバ（７０；７２）からの流体の流出を可能にする通路を前記各チャンバが有することによって、前記光学レンズパッケージが第１の軸方向に移動すると、一方のチャンバから流体が押し出され、もう一方のチャンバに流体が引き込まれる請求項８に記載の電子装置用光学レンズアッセンブリ（４０；１００）。
【請求項１０】
電子装置の光学レンズパッケージの衝撃を緩和する方法であって、
前記電子装置に取り付け可能なスリーブ内に前記光学レンズ群（６０，６２；１０４，１０６）を前記電子装置に対して軸方向に移動可能に支持するステップと、
衝撃エネルギーを吸収するために、前記光学レンズ群（６０，６２；１０４，１０６）と前記電子装置との間の相対移動を可能にすることにより前記光学レンズ群（６０，６２；１０４，１０６）の衝撃を緩和するステップと、を含む方法。
【国際調査報告】
2010500623.tif 000009
2010500623.tif 000010
2010500623.tif 000011